Podtech/llm-jp-corpus-v4-ja_patent huggingface dataset:
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
高電圧マルチ出力電流装置を形成する方法において、
第１導電タイプの基板を提供する段階と、
前記基板の第１部分上に第２導電タイプの第１ドープ領域を形成する段階であって、中心および第１周囲（７７）を有する第１の閉じた幾何学的形状としての前記第１ドープ領域（７３）を形成する段階を含み、前記第１周囲の第１部分は第１輪郭を有し、また、前記第１周囲の第２部分は第２輪郭を有し、さらに、前記第１ドープ領域（７３）は、Ｊ−ＦＥＴトランジスタ（１３）のドレインおよびソース、第１ＭＯＳトランジスタ（１４）のドレイン、および、第２ＭＯＳトランジスタ（１５）のドレインを含む、段階と、
前記基板上に第２周囲を有する前記第２導電タイプの第２ドープ領域（８４）を形成する段階であって、前記第２周囲の一部分は前記第１周囲（７７）の前記第１部分と並置され、また、前記第１輪郭と同一に形成された第３輪郭を有し、さらに、前記第２ドープ領域は前記第１ＭＯＳトランジスタ（１４）のソースである、段階と、
前記基板上に第３周囲を有する前記第２導電タイプの第３ドープ領域（８５）を形成する段階であって、前記第３周囲の一部分は前記第１周囲の前記第２部分と並置され、また、前記第２輪郭と同一に形成された第４輪郭を有し、さらに、前記第３ドープ領域は前記第２ＭＯＳトランジスタのソースである、段階と、
から構成されることを特徴とする方法。
【請求項２】
第１導電タイプの基板と、
前記基板の第１部分上の第２導電タイプの第１ドープ領域（７３）であって、前記第１ドープ領域は、中心および第１周囲を有する第１の閉じた幾何学的形状として形成され、前記第１周囲の第１部分は第１輪郭を有し、また、前記第１周囲の第２部分は第２輪郭を有し、さらに、前記第１ドープ領域は、Ｊ−ＦＥＴトランジスタのドレインおよびソース、第１ＭＯＳトランジスタのドレイン、および、第２ＭＯＳトランジスタのドレインである、第１ドープ領域と、
前記基板上の前記第２導電タイプの第２ドープ領域（８４）であって、第２周囲を有し、前記第２周囲の一部分は前記第１周囲の前記第１部分と並置され、また、前記第１輪郭と同一形状である第３輪郭を有し、さらに、前記第２ドープ領域は前記第１ＭＯＳトランジスタ（１４）のソースである、第２ドープ領域と、
前記基板上の前記第２導電タイプの第３ドープ領域（８６）であって、第３周囲を有し、前記第３周囲の一部分は前記第１周囲の前記第２部分と並置され、また、前記第２輪郭と同一形状である第４輪郭を有し、さらに、前記第３ドープ領域は前記第２ＭＯＳトランジスタ（１５）のソースである、第３ドープ領域と、
から構成されることを特徴とする高電圧マルチ出力電流装置。
【請求項３】
出力電圧の第１値（初期値）に応答するシステム・コントローラ（５０）の出力（４８）で第１出力電流（２１）を生成する段階と、
前記第１出力電流の生成を抑止するために電圧リターン（５８）に前記出力を結合する段階と、
から構成されることを特徴とする電源制御システム抑止方法。
【請求項４】
高電圧マルチ出力電流装置において、
第１導電タイプの基板と、
前記基板の第１部分上の第２導電タイプの第１領域であって、前記第１領域は形状および第１周囲を有し、前記第１周囲の第１部分は第１輪郭を有し、また、前記第１周囲の第２部分は第２輪郭を有し、さらに、前記第１領域は、Ｊ−ＦＥＴトランジスタのドレインおよびソース、第１ＭＯＳトランジスタのドレイン、および、第２ＭＯＳトランジスタのドレインである、第１領域と、
前記基板上に第２周囲を有する前記第２導電タイプの第２領域であって、前記第２周囲の一部分は前記第１周囲の前記第１部分と並置され、また、前記第１輪郭と同一の形状である第３輪郭を有し、さらに、前記第２領域は前記第１ＭＯＳトランジスタのソースである、第２領域と、
前記基板上に第３周囲を有する前記第２導電タイプの第３領域であって、前記第３周囲の一部分は前記第１周囲の前記第２部分と並置され、また、前記第２輪郭と同一の形状である第４輪郭を有し、さらに、前記第３領域は前記第２ＭＯＳトランジスタのソースである、第３領域と、
を含むことを特徴とする高電圧マルチ出力電流装置。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
半導体基板の上に層を形成するための方法であって、
半導体基板を設ける工程と、
疎水性表面を有する第１誘電体層を前記基板の上に形成する工程と、
前記疎水性表面を親水性表面に改質する工程と、
前記親水性表面をスクラブ処理する工程と、
第２誘電体層を前記第１誘電体層の上に形成する工程とを備え、前記疎水性表面から前記親水性表面への改質は酸素プラズマにより行なう、方法。
【請求項２】
半導体基板の上に層を形成するための方法であって、
半導体基板を設ける工程と、
第１誘電体層を前記基板の上に形成する工程と、
前記第１誘電体層を酸素プラズマで処理する工程と、
前記第１誘電体層を水溶液で洗浄する工程と、
第２誘電体層を前記洗浄済み第１誘電体層の上に形成する工程とを備え、前記第１誘電体層を前記酸素プラズマで処理することによって、前記第１誘電体層の疎水性表面を親水性表面に改質する、方法。
【請求項３】
半導体構造の製造方法であって、
半導体基板を設ける工程と、
シリコン、炭素、及び窒素を含有する第１誘電体層を前記基板の上に形成する工程と、
前記第１誘電体層を酸素プラズマで処理する工程と、
前記第１誘電体層をスクラブ処理する工程と、
第２誘電体層を前記第１誘電体層の上に形成する工程とを備え、前記第１誘電体層は疎水性表面を有していたものが、前記第１誘電体層を処理する前記工程によって、前記疎水性表面のほぼ全てが親水性表面に改質される、製造方法。
【請求項４】
スクラブ処理する工程では、水を用いた洗浄水溶液でスクラブ洗浄する、請求項３記載の方法。
【請求項５】
前記第１誘電体層を形成する工程は、
シリコン、炭素、及び窒素から成る第１誘電体層を形成する工程を備え、
前記第１誘電体層を形成する工程、及び前記第１誘電体層を処理する工程は、ｉｎ−ｓｉｔｕで行われる、請求項３記載の方法。
【手続補正書】
【提出日】平成19年10月20日(2007.10.20)
【手続補正１】
【補正対象書類名】明細書
【補正対象項目名】０００４
【補正方法】変更
【補正の内容】
【０００４】
ＮＭＤＡアンタゴニストの重要性を考えると、｛２−［（８，９）−ジオキソ−２，６−ジアザ−ビシクロ［５．２．０］−ノン−１（７）−エン−２−イル］エチル｝ホスホン酸の改善された合成経路が必要であることは明白である。本発明は、他と同じく、この重要な結果を目的とする。
この出願の発明に関連する先行技術文献情報としては、以下のものがある（国際出願日以降国際段階で引用された文献及び他国に国内移行した際に引用された文献を含む）。
【特許文献１】米国特許第５，９９０，３０７号明細書
【特許文献２】米国特許第６，０１１，１６８号明細書
【非特許文献１】キニー、ウイリアム  エー．（Ｋｉｎｎｅｙ，Ｗｉｌｌｉａｍ  Ａ．）ら，「アキラルアルファ−アミノ酸生物学的等価体である３−シクロブテン−１，２−ジオンの使用を介した２’−（８，９−ジオキソ−２，６−ジアザビシクロ−５．２．０−ノン１（７）−エン−２−イル）エチル−リン酸（ＥＡＡ−０９０）、強力なＮ−メチル−Ｄ−アスパラギン酸塩アンタゴニストの設計と合成（Ｄｅｓｉｇｎ  ａｎｄ  Ｓｙｎｔｈｅｓｉｓ  ｏｆ  ‘２−（８，９−Ｄｉｏｘｏ−２，６−ｄｉａｚａｂｉｃｙｃｌｏ‘５.２.０−ｎｏｎ１（７）−ｅｎ−２−ｙｌ）ｅｔｈｙｌ−ｐｈｏｓｐｈｏｎｉｃ  Ａｃｉｄ（ＥＡＡ−０９０），ａ  Ｐｏｔｅｎｔ  Ｎ−Ｍｅｔｈｙｌ−Ｄ−ａｓｐａｒｔａｔｅ  Ａｎｔａｇｏｎｉｓｔ，ｖｉａ  ｔｈｅ  Ｕｓｅ  ｏｆ  ３−Ｃｙｃｌｏｂｕｔｅｎｅ−１，２−  ｄｉｏｎｅ  ａｓ  ａｎ  Ａｃｈｉｒａｌ．ａｌｐｈａ．−Ａｍｉｎｏ  Ａｃｉｄ  Ｂｉｏｉｓｏｓｔｅｒｅ）」，ジャーナル・オブ・メディカル・ケミストリー（ＪＯＵＲＮＡＬ  ＯＦ  ＭＥＤＩＣＩＮＡＬ  ＣＨＥＭＩＳＴＲＹ），１９９８年，第４１巻，第２号，ｐ．２３６−２４６
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
β-3-アドレナリン受容体アゴニスト又はその医薬的に許容できる塩を含有する、緊張性及び／又は混合型尿失禁から選択される膀胱機能障害を治療するための医薬組成物。
【請求項２】
前記β-3-アドレナリン受容体アゴニストが、下記化合物1)〜35)、それらの代謝産物、それらのエナンチオマー又はそれらの医薬的に許容できる塩のひとつであることを特徴とする、請求項1記載の医薬組成物。
1)  2-[2-ブロモ-4-[2-[[(1S,2R)-2-ヒドロキシ-2-(4-ヒドロキシフェニル)-1-メチルエチル]アミノ]エチル]フェノキシ]酢酸、
2)  2-[2-クロロ-4-[2-[[(1S,2R)-2-ヒドロキシ-2-(4-ヒドロキシフェニル)-1-メチルエチル]アミノ]エチル]フェノキシ]酢酸、
3)  2-[2,5-ジクロロ-4-[2-[[(1S,2R)-2-ヒドロキシ-2-(4-ヒドロキシフェニル)-1-メチルエチル]アミノ]エチル]フェノキシ]酢酸、
4)  2-[4-[2-[[(1S,2R)-2-ヒドロキシ-2-(4-ヒドロキシフェニル)-1-メチルエチル]アミノ]エチル]-2,5-ジメチルフェノキシ]酢酸、
5)  2-[2-ヒドロキシ-4-[2-[[(1S,2R)-2-ヒドロキシ-2-(4-ヒドロキシフェニル)-1-メチルエチル]アミノ]エチル]フェノキシ]酢酸、
6)  エチル-2-[2-クロロ-4-[2-[[(1S,2R)-2-ヒドロキシ-2-(4-ヒドロキシフェニル)-1-メチルエチル]アミノ]エチル]フェノキシ]酢酸塩、
7)  エチル-2-[2,5-ジクロロ-4-[2-[[(1S,2R)-2-ヒドロキシ-2-(4-ヒドロキシフェニル)-1-メチルエチル]アミノ]エチル]フェノキシ]酢酸塩、
8)  (-)-エチル-2-[4-(2-{[(1S,2R)-2-ヒドロキシ-2-(4-ヒドロキシフェニル)-1-メチルエチル]アミノ}エチル)-2,5-ジメチルフェニルオキシ]酢酸塩、
9)  (-)-2-[4-(2-{[(1S,2R)-2-ヒドロキシ-2-(4-ヒドロキシフェニル)-1-メチルエチル]アミノ}エチル)-2,5-ジメチルフェニルオキシ]酢酸、
10)  ジナトリウム-([R,R]-5-2-[[2-(3-クロロフェニル)-2-ヒドロキシエチル]-アミノ]プロピル)-1,3-ベンゾジオキソール-2,2-ジカルボキシラート、
11)  2-[2-クロロ-4-(2-{[(1S,2R)-2-ヒドロキシ-2-(4-ヒドロキシフェニル)-1-メチルエチル]アミノ}エチル)フェノキシ]酢酸、
12)  エチル[R-(R*,S*)]-[[8-[[2-(3-クロロフェニル)-2-ヒドロキシエチル]アミノ]-6,7,8,9-テトラヒドロ-5H-ベンゾシクロヘプテン-2-イル]オキシ]-酢酸  塩酸塩、
13)  [1S-[1α,3β(S*)]]-3-[3-[[2-(3-クロロフェニル)-2-ヒドロキシエチル]アミノ]シクロヘキシル]フェノキシ]-酢酸  一ナトリウム塩、
14)  7-{2-[2-(3-クロロフェニル)-2-ヒドロキシ-エチルアミノ]-プロピル}-2,3-ジヒドロ-ベンゾ[1,4]ジオキシン-2-カルボン酸、
15)  (4-{2-[2-(6-アミノ-ピリジン-3-イル)-2-ヒドロキシ-エチルアミノ]-エトキシ}-フェニル)-酢酸、
16)  5-(4-メトキシ-3,4-ジイオドベンジル)-5,6,7,8-テトラヒドロ-ナフタレン-2-オール、
17)  4-(1-N-tert-ブチルアミノ-2-ヒドロキシ-ブトキシ)-1,3-ジヒドロ-ベンゾイミダゾール-2-オン、
【化１】
2007509868.tif 000001
21)  4-N-(4-(2-(4-ヒドロキシ-3-メチルスルホンアミド-フェニル)-2-ヒドロキシ-エチルアミノ)-ピペリジニル)-フェニル-n-ブチル-アミノスルホニル酢酸、
【化２】
2007509868.tif 000002
(式中、
a)Ar＝4-OHPh-O-、R1＝オクチル、R2＝H
b)Ar＝4-OH,3-メチルスルホニルアミドフェニル-O、R1＝2,5-ジFベンジル、R2＝H
c)Ar＝4-OH,3-メチルスルホニルアミドフェニル、R1＝2,5-ジFベンジル、R2＝H。)
【化３】
2007509868.tif 000003
【化４】
2007509868.tif 000004
29)  2-(3-{[2-(3-クロロフェニル)-2R-ヒドロキシル-エチルアミノ]エチルアミノ}フェニル)フラン-3-カルボン酸、
30)  2-(3-{[2-(3-クロロフェニル)-2R-ヒドロキシル-エチルアミノ]エチルアミノ}フェニル)チオフェン-3-カルボン酸、
【化５】
2007509868.tif 000005
33)  (R)-2-(2-アミノチアゾール-4-イル)-4'-[2-[2-(ヒドロキシ-2-フェニルエチル)アミノ]エチル]アセトアニリド、
34)  (S)-4-[2-ヒドロキシ-3-[[2-[4-(5-カルバモイル-2-ピリジルオキシ)フェニル]-1,1-ジメチル-エチル]アミノ]-プロポキシ]-カルバゾール、
【化６】
2007509868.tif 000006
【請求項３】
前記β-3-アドレナリン受容体アゴニストが、フェノキシ酢酸誘導体であることを特徴とする、請求項1又は2記載の医薬組成物。
【請求項４】
前記β-3-アドレナリン受容体アゴニストが、(-)-エチル-2-[4-(2-{[(1S,2R)-2-ヒドロキシ-2-(4-ヒドロキシフェニル)-1-メチルエチル]-アミノ}-エチル)-2,5-ジメチルフェニルオキシ]アセテート及び／又は(-)-2-[4-(2-{[(1S,2R)-2-ヒドロキシ-2-(4-ヒドロキシフェニル)-1-メチルエチル]アミノ}エチル)-2,5-ジメチルフェニルオキシ]酢酸及び／又はそれらのエナンチオマー及び／又はそれらの代謝産物及び／又はそれらの薬理学的に許容できる塩であることを特徴とする、請求項1〜3のいずれか1項記載の医薬組成物。
【請求項５】
前記β-3-アドレナリン受容体アゴニストが、10mg〜750mgの量で含まれる、請求項1〜4のいずれか1項記載の医薬組成物。
【請求項６】
活性物質の少なくとも一部が、遅れて放出されることを特徴とする、請求項1〜5のいずれか1項記載の医薬組成物。
【請求項７】
活性物質の少なくとも一部が、即時放出されることを特徴とする、請求項1〜5のいずれか1項記載の医薬組成物。
【請求項８】
緊張性及び／又は混合型尿失禁から選択される膀胱機能障害の治療用医薬品を調製するための、β-3-アドレナリン受容体アゴニスト又はその医薬的に許容できる塩の使用。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
選択的オピエート受容体調節物質として有効な化合物を有効成分として含む、神経障害、前記障害に伴う臨床像および症状、並びに関連障害の診断、予防および／または治療のための医薬組成物。
【請求項２】
前記受容体調節物質が受容体作動薬である、請求項１に記載の医薬組成物。
【請求項３】
前記受容体調節物質が前記受容体に対して末梢選択的である、請求項１または２に記載の医薬組成物。
【請求項４】
前記受容体調節物質がカッパ型オピエート受容体である、請求項１−３のいずれかに記載の医薬組成物。
【請求項５】
前記化合物が、アルビモパン、ロペラミド、アシマドリン、フェドトジン、ペンタゾシン、Ｕ６２０６６Ｅ、ＩＣＩ２０４４４８、Ｕ−５０４８８Ｈ、ＡＤＬ１０−０１０１、ＡＤＬ１０−０１１６およびＡＤＬ１−０３９８からなる群から選択される、請求項１−４のいずれかに記載の医薬組成物。
【請求項６】
選択的オピエート受容体調節物質として有効な化合物が、Ｎ−メチル−Ｎ−［（１Ｓ）−１−フェニル−２−（（３Ｓ）−３−ヒドロキシピロリジン−１−イル）エチル］−２，２−ジフェニルアセトアミド、および／または薬学的に許容できる前記化合物の誘導体、溶媒和物、塩または立体異性体、またはあらゆる比率で混合したこれらの混合物である、請求項１−５のいずれかに記載の医薬組成物。
【請求項７】
前記関連障害が、ヘルペス後神経痛、外陰痛、紅斑性狼瘡および化学療法により誘発される神経障害からなる群から選択される、請求項１−６のいずれかに記載の医薬組成物。
【請求項８】
化合物Ｎ−メチル−Ｎ−［（１Ｓ）−１−フェニル−２−（（３Ｓ）−３−ヒドロキシピロリジン−１−イル）エチル］２，２−ジフェニルアセトアミド塩酸塩を含む神経障害の予防および／または治療用の医薬組成物。
【請求項９】
生理学的に許容できる賦形剤、添加剤、アジュバント、担体および請求項１−６のいずれか１つの項に記載の化合物以外の薬学的活性成分からなる群から選択される１つ以上の追加の化合物を含む、請求項１−８のいずれかに記載の医薬組成物。
【請求項１０】
請求項１−６のいずれかに記載の化合物以外の薬学的活性成分が、抗糖尿病薬、および神経障害、前記障害に伴う臨床像および症状、並びに関連障害の診断、予防および／または治療に有用な請求項１−６のいずれかに記載の化合物以外の薬学的活性成分から選択される、請求項９記載の医薬組成物。
【請求項１１】
請求項９または１０に記載の医薬組成物の製造方法であって、請求項１−６のいずれかに規定される選択的オピエート受容体調節物質として有効な１つ以上の化合物、および請求項９および／または請求項１０に規定される任意の１つ以上の追加化合物を一緒に混合し、投与に適切な医薬組成物に変換することを含む方法。
【請求項１２】
ａ）請求項１−６のいずれかに規定される薬学的有効量の１つ以上の選択的オピエート受容体調節物質、および
ｂ）請求項１−６のいずれかに記載の化合物以外の薬学的活性成分から選択される薬学的有効量の１つ以上の化合物、
の別々のパックからなるキット。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
a）結晶性活性物質 A）を溶媒 1 に、必要に応じて分散助剤 C）と共に完全溶解させ、溶液 E）を形成する工程、
b）置換剤 2、特に、活性物質 A）の溶解度が 1 重量％未満であり、溶媒 1 と混和性であり、活性物質 A）の沈澱をもたらす液状の置換剤 2 を溶液 F として供給する工程、
c）ポリマー B）、特に、水に易溶性であり、特に好ましくは、デキストラン、デキストリン、アラビアゴム、ポリビニルアルコール、ポリビニルピロリドン、ポリエチレングリコール、ポリアスパラギン酸及びアルギネートからなる系列から選ばれる主として非晶質であるポリマーを、工程 a）の溶液及び／又は工程 b）の溶液 F）に添加する工程、
d）溶液 E）及び F）の 2 つの溶液流れを、好ましくは混合ノズル内で、2 つの部分流れを連続かつ均一に混合領域に供給しながら混合し、適当な場合には混合領域で乱流を形成する工程、
e）混合物から溶媒を、特に、凍結乾燥、噴霧乾燥又は噴霧造粒によって除去する工程、
を含む、結晶性活性物質に基づく非晶質混合物、特に結晶性活性物質に基づく活性物質配合物の製造方法。
【手続補正２】
【補正対象書類名】明細書
【補正対象項目名】００２０
【補正方法】変更
【補正の内容】
【００２０】
非イオン性分散剤 C）の記載し得る例は、Pluronic PE 10 100 及び Pluronic F 68（BASF 製）並びに Atlox 4913（Uniqema 製）の商品名で知られる製品である。トリスチリルフェニルエトキシレートも適当である。アニオン性分散剤 C）の記載し得る例は、Baykanol SL の商品名で商業的に入手可能な Bayer AG 製品（スルホン化ジトリルエーテルとホルムアルデヒドとの縮合生成物）、及びリン酸化又は硫酸化トリスチリルフェノールエトキシレート、具体的には、Soprophor SLK 及び Soprophor 4D 384（Rhodia 製）である。
【手続補正３】
【補正対象書類名】明細書
【補正対象項目名】００２９
【補正方法】変更
【補正の内容】
【００２９】
これに関連して記載し得る例は、ビストリフルロン、ホラムスルフロン、メソスルフロンメチル、ピラクロストロビン、ピリフタリド、アバメクチン、AC 94377、アセキノシル、アシベンゾラール-S-メチル、アクロニフェン、アクリナトリン、AKH-7088、アミドスルフロン、アミトラズ、アニロホス、アントラキノン、アトラジン、アザフェニジン、アジンホスメチル、アゾシクロチン、アゾキシストロビン、ベフルブタミド、ベナラキシル、ベナゾリンエチル、ベンフルラリン、ベノミル、ベノキサコール、ベンスルフロンメチル、ベンスルタップ、ベンゾビシクロン、ベンゾフェナップ、ベンゾキシメート、ビフェナゼート、ビフェノックス、ビフェントリン、ビテルタノール、ブロデファコウム、ブロマジオロン、ブロメタリン、ブロモブチド、ブロモプロピレート、ブロムコナゾール、ブピリメート、ブプロフェジン、ブタフェナシル、ブトラリン、ブトロキシジム、カフェンストロール、カプタフォール、カプタン、カルベンダジム、カルプロパミド、キノメチオネート、クロルブロムロン、クロルダン、クロルフルアズロン、クロルフルレノールメチル、クロリムロンエチル、クロロタロニル、クロルタルジメチル、クロゾリネート、クロマフェノジド、シニドンエチル、クロジナホッププロパルギル、クロフェンテジン、クロメプロップ、クロキントセットメキシル、クロランスラムメチル、オキシ塩化銅、硫酸銅（三塩基性）、クマホス、クマテトラリル、クミルロン、シクロスルファムロン、シフルトリン、β-シフルトリン、シペルメトリン、α-シペルメトリン、β-シペルメトリン、θ-シペルメトリン、シプロジニル、ダイムロン、2,4-DB、デルタメトリン、デスメディファム、ジアフェンチウロン、ジクロベニル、ジクロフルアニド、ジクロロフェン、ジクロシメット、ジクロメジン、ジクロラン、ジクロスラム、ジコホール、ジエトフェンカルブ、ジフェナコウム、ジフェノコナゾール、ジフェチアロン、ジフルベンズロン、
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
単一層で被覆された経口投与のための薬学的活性成分含有製剤であって、前記単一層は
１種以上のフィルム形成ポリマー、および
少なくとも２種の分離剤を含み、
前記分離剤のうち、少なくとも一つは脂肪酸塩であり、少なくとも一つは層状シリケートである、製剤。
【請求項２】
前記単一層が界面活性剤または消泡剤を安定剤として含まない、請求項１に記載の製剤。
【請求項３】
前記フィルム形成ポリマーが、水ベース分散液の形で提供されうることを特徴とする、請求項１または２に記載の製剤。
【請求項４】
前記フィルム形成ポリマーが複数のフィルム形成ポリマーの混合物である、請求項１〜３のいずれか一項に記載の製剤。
【請求項５】
ポリアクリレートをフィルム形成ポリマーとして有する、請求項１〜４のいずれか一項に記載の製剤。
【請求項６】
前記ポリアクリレートがアクリル酸、メタクリル酸、アクリル酸エステルおよび／またはメタクリル酸エステルに基づくポリマーである、請求項５に記載の製剤。
【請求項７】
前記脂肪酸塩が、脂肪酸のアルカリ金属塩および／またはアルカリ土類金属塩および／またはアルミニウム塩である、請求項１〜６のいずれか一項に記載の製剤。
【請求項８】
ベヘン酸ナトリウム、カリウム、マグネシウムおよび／またはカルシウムを脂肪酸のアルカリ金属塩またはアルカリ土類金属塩として含む、請求項７に記載の製剤。
【請求項９】
ステアリン酸ナトリウム、カリウム、マグネシウム、カルシウムおよび／またはアルミニウムを脂肪酸のアルカリ金属塩、アルカリ土類金属塩またはアルミニウム塩として含む、請求項７に記載の製剤。
【請求項１０】
カプリル酸、カプリン酸、ラウリン酸および／またはパルミチン酸のマグネシウム塩を脂肪酸のアルカリ土類金属塩として含む、請求項７に記載の製剤。
【請求項１１】
脂肪酸塩の含有率が、フィルム形成ポリマーの乾燥重量に基づいて、５〜４０重量％である、請求項１〜１０のいずれか一項に記載の製剤。
【請求項１２】
タルカム、カオリナイト、パイロフィライト、アタパルジャイト、セピオライト、白雲母、モンモリロン石、ベントナイトおよび／またはバーミキュル石を層状シリケートとして含む、請求項１〜１１のいずれか一項に記載の製剤。
【請求項１３】
層状シリケートの含有率が、フィルム形成ポリマーの乾燥重量に基づいて、２０〜６０重量％である、請求項１〜１２のいずれか一項に記載の製剤。
【請求項１４】
単一層で被覆された活性成分含有コアの形が、カプセル、錠剤、ペレット、顆粒、ミニタブレットまたはマイクロペレットである、請求項１〜１３のいずれか一項に記載の製剤。
【請求項１５】
単一層で被覆された活性成分含有コアの形が、活性成分結晶である、請求項１〜１３のいずれか一項に記載の製剤。
【請求項１６】
ペレットまたはマイクロペレットの形の活性成分含有コアが不活性コアを含み、活性成分含有コアが特に活性成分含有コーティングを有する不活性コアで構成されている、請求項１４に記載の製剤。
【請求項１７】
マイクロペレットが多数単位投与形として、特に錠剤またはカプセルの形で提供される、請求項１４または１６に記載の製剤。
【請求項１８】
ペレット、顆粒またはミニタブレットが多数単位投与形として、特にカプセルの形で提供される、請求項１４または１６に記載の製剤。
【請求項１９】
多数単位投与形が請求項１〜１３のいずれか一項に記載の単一層で被覆される、請求項１７または１８に記載の製剤。
【請求項２０】
多数単位投与形がカプセル、特にソフトゼラチンカプセルである、請求項１７〜１９のいずれか一項に記載の製剤。
【請求項２１】
活性成分が薬学的に許容される助剤、特に通例の助剤との混合物の形で提供される、請求項１〜２０のいずれか一項に記載の製剤。
【請求項２２】
活性成分が界面活性剤、特に非イオンまたはイオン界面活性物質との混合物の形、あるいは界面活性剤を含まない形で提供される、請求項１〜２１のいずれか一項に記載の製剤。
【請求項２３】
３００ｇ／Ｌ水溶液を越える溶解度を有する易水溶性活性成分を含む、請求項１〜２２のいずれか一項に記載の製剤。
【請求項２４】
活性成分としてメトプロロールまたはその塩、特にコハク酸メトプロロールを含む、請求項１〜２３のいずれか一項に記載の製剤。
【請求項２５】
分散液がフィルム形成ポリマーおよび少なくとも２種の分離剤を含み、安定剤を含まない、請求項１〜２４のいずれか一項に記載の経口投与用薬学的活性成分含有製剤用の単一層を製造するための水性分散液であって、ポリマーの乾燥重量に基づいて、
少なくとも１種の脂肪酸塩が５〜４０重量％の量で分離剤として存在し、および
層状シリケートが２０〜６０重量％の量で存在する、
水性分散液。
【請求項２６】
分散液が界面活性剤または消泡剤を安定剤として含まず、
特に非イオン界面活性剤、とりわけポリソルベート、モノイソステアリン酸ソルビタン、モノラウリン酸ソルビタン、モノパルミチン酸ソルビタン、モノステアリン酸ソルビタン、モノオレイン酸ソルビタン、セスキオレイン酸ソルビタン、トリオレイン酸ソルビタン、モノステアリン酸グリセリル、モノオレイン酸グリセリルおよび／またはポリビニルアルコール、
特に陰イオン界面活性剤、とりわけドキュセートナトリウムおよび／またはラウリル硫酸ナトリウム、
特に陽イオン界面活性剤、とりわけ塩化ベンザルコニウム、塩化ベンゼトニウムおよび／またはセトリミド、
特にシリコーン系消泡剤および／または
特に消泡剤としてのグリセロール、ソルビトールおよび／またはＰＥＧ誘導体
を含まない請求項２５に記載の水性分散液。
【請求項２７】
下記の工程を含む、請求項２５または２６に記載の水性分散液を製造するための方法。
少なくとも１種の脂肪酸塩と、少なくとも１種の層状シリケートとを混合し、分離剤混合物を調製する工程、および
該分離剤混合物を、フィルム形成ポリマーの水性懸濁液に添加する工程。
【請求項２８】
活性成分含有コアに、請求項２５〜２７のいずれか一項に記載の水性分散液を噴霧することを特徴とする請求項１〜２４のいずれか一項に記載の薬学的活性成分含有製剤を製造するための方法。
【手続補正２】
【補正対象書類名】明細書
【補正対象項目名】００２９
【補正方法】変更
【補正の内容】
【００２９】
本発明の問題は、単一層（以下、コーティングまたは単一コーティングということもある）で被覆された経口投与のための薬学的活性成分含有製剤による態様によって解消され、その単一層は１種以上のフィルム形成ポリマーおよび少なくとも２種の分離剤を含み、前記分離剤のうち、少なくとも一つは脂肪酸塩であり、少なくとも一つは層状シリケートである。
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
(ｉ)ＡＴ１−受容体アンタゴニストまたはその薬学的に許容される塩、および
(ii)利尿剤アミロライドまたはトリアメテリン(triameterine)またはそれらの薬学的に許容される塩、および
(iii)さらなる利尿剤またはその薬学的に許容される塩
を各々含む、組み合わせ製剤または医薬組成物のような組み合わせ。
【請求項２】
(ｉ)バルサルタンまたはその薬学的に許容される塩および
(ii)アミロライドまたはその薬学的に許容される塩および
(iii)ヒドロクロロチアジドまたはその薬学的に許容される塩
を含む、請求項１記載の組み合わせ。
【請求項３】
(ｉ)バルサルタンおよび
(ii)塩酸アミロライドおよび
(iii)ヒドロクロロチアジド
を含む、請求項１記載の組み合わせ。
【請求項４】
請求項１から３のいずれかの組み合わせを含む、医薬組成物。
【請求項５】
(ｉ)ＡＴ１−受容体アンタゴニストまたはその薬学的に許容される塩、および
(ii)利尿剤アミロライドまたはトリアメテリンまたはその薬学的に許容される塩、および
(iii)さらなる利尿剤またはその薬学的に許容される塩；および
(iv)助剤
を含む、
(ａ)高血圧、鬱血性心不全、経皮経管的血管形成術後の再狭窄、および冠動脈バイパス術後の再狭窄；
(ｂ)アテローム性動脈硬化症、インスリン抵抗性およびシンドロームＸ、２型糖尿病、肥満、腎症、甲状腺機能低下症、心筋梗塞(ＭＩ)後生存、冠動脈心疾患、高齢者の高血圧、家族性異脂肪血症性高血圧、コラーゲン形成の増加、線維症、および高血圧後のリモデリング(該組み合わせの抗増殖効果)、高血圧と関連するまたは関連しないこれらのすべての疾患；
(ｃ)高血圧を併発したまたは併発していない内皮障害、
(ｄ)高脂血症、高リポタンパク血症、アテローム性動脈硬化症および高コレステロール血症、
(ｅ)緑内障；さらに
(ｆ)孤立性収縮期高血圧(ＩＳＨ)、
(ｇ)糖尿病性網膜症、および
(ｈ)末梢血管疾患
から成る群から選択される疾患または状態の予防、進行の遅延、処置のための医薬組成物。
【請求項６】
(ａ)高血圧、鬱血性心不全、経皮経管的血管形成術後の再狭窄、および冠動脈バイパス術後の再狭窄；
(ｂ)アテローム性動脈硬化症、インスリン抵抗性およびシンドロームＸ、２型糖尿病、肥満、腎症、甲状腺機能低下症、心筋梗塞(ＭＩ)後生存、冠動脈心疾患、高齢者の高血圧、家族性異脂肪血症性高血圧、コラーゲン形成の増加、線維症、および高血圧後のリモデリング(該組み合わせの抗増殖効果)、高血圧と関連するまたは関連しないこれらのすべての疾患；
(ｃ)高血圧を併発したまたは併発していない内皮障害、
(ｄ)高脂血症、高リポタンパク血症、アテローム性動脈硬化症および高コレステロール血症、
(ｅ)緑内障；さらに
(ｆ)孤立性収縮期高血圧(ＩＳＨ)、
(ｇ)糖尿病性網膜症、および
(ｈ)末梢血管疾患
から成る群から選択される疾患または状態の予防、進行の遅延、処置用医薬の製造のための、
(ｉ)ＡＴ１−受容体アンタゴニストまたはその薬学的に許容される塩、および
(ii)利尿剤アミロライドまたはトリアメテリンまたはその薬学的に許容される塩、および
(iii)さらなる利尿剤またはその薬学的に許容される塩
を含む、組み合わせの使用。
【請求項７】
処置を必要とするヒトを含む温血動物に併用で治療的有効量の
(ｉ)ＡＴ１−受容体アンタゴニストまたはその薬学的に許容される塩、および
(ii)利尿剤アミロライドまたはトリアメテリンまたはその薬学的に許容される塩、および
(iii)さらなる利尿剤またはその薬学的に許容される塩
を投与することを含む、
(ａ)高血圧、鬱血性心不全、経皮経管的血管形成術後の再狭窄、および冠動脈バイパス術後の再狭窄；
(ｂ)アテローム性動脈硬化症、インスリン抵抗性およびシンドロームＸ、２型糖尿病、肥満、腎症、甲状腺機能低下症、心筋梗塞(ＭＩ)後生存、冠動脈心疾患、高齢者の高血圧、家族性異脂肪血症性高血圧、コラーゲン形成の増加、線維症、および高血圧後のリモデリング(該組み合わせの抗増殖効果)、高血圧と関連するまたは関連しないこれらのすべての疾患；
(ｃ)高血圧を併発したまたは併発していない内皮障害、
(ｄ)高脂血症、高リポタンパク血症、アテローム性動脈硬化症および高コレステロール血症、
(ｅ)緑内障；さらに
(ｆ)孤立性収縮期高血圧(ＩＳＨ)、
(ｇ)糖尿病性網膜症、および
(ｈ)末梢血管疾患
から成る群から選択される疾患または状態の予防、進行の遅延、処置の方法。
【手続補正２】
【補正対象書類名】明細書
【補正対象項目名】００１５
【補正方法】変更
【補正の内容】
【００１５】
一層驚くのは、
(ｉ)ＡＴ１−受容体アンタゴニストまたはその薬学的に許容される塩、および
(ii)アミロライドまたはその薬学的に許容される塩および
(iii)さらなる利尿剤または薬学的に許容される塩
の組み合わせ投与が、有益な、特に増強された、好ましくは相乗的、治療効果をもたらすだけでなく、組み合わせ処置に起因する付加的利点および、本明細書に記載の組み合わせで使用する薬学的活性化合物の一方のみを提供する単剤療法と比較して、さらに驚くべき有利な効果ももたらすとの実験的発見である。
【手続補正３】
【補正対象書類名】明細書
【補正対象項目名】００１８
【補正方法】変更
【補正の内容】
【００１８】
確立された試験モデルおよびとりわけ本明細書に記載の試験モデルにより、(ｉ)から(iii)から成る群から選択される治療剤の組み合わせが、下記に特記した疾患のより有効な予防または処置をもたらすことを示すことができる。
【手続補正４】
【補正対象書類名】明細書
【補正対象項目名】００２２
【補正方法】変更
【補正の内容】
【００２２】
ＡＴ１−受容体アンタゴニストまたは利尿剤の各々のクラスの代表の、または本発明に従い使用する活性剤の組み合わせの投与により発生する薬理学的活性は、例えば当業者に既知の対応する薬理学的モデルの使用により証明できる。関連技術の当業者は、前記および後記に指示する治療的適応症および有益な効果を確認するための適切な動物試験モデルを選択することが十分可能である。
【手続補正５】
【補正対象書類名】明細書
【補正対象項目名】００３１
【補正方法】変更
【補正の内容】
【００３１】
方法
梗塞サイズ：左心室の６μm厚横断組織学的切片をニトロブルーテトラゾリウムで染色し、B/W XC-77CE CCDビデオカメラ(Sony)で撮影する。得られた画像をKS 300画像解析システム(Carl Zeiss Vision)で、特別に開発されたソフトウェア(Porzio et al., 1995)を使用して処理する。処置を知らない一人のオペレーターがインタラクティブに心室中隔の境界を定義し、各切片における梗塞領域を、非染色心室組織の領域として半自動的に同定する。ソフトウェアは幾何学的パラメータの組である室、中隔、梗塞領域、梗塞したＬＶ壁および生存可能ＬＶ壁として定義した心室切片の各成分について自動的に計算する(Porzio et al., 1995)。
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
第一の吸収層；
前記第一の吸収層に隣接する遮断層；
前記遮断層に隣接する第二の吸収層：
を含んでなり、前記遮断層の表面重量が０．１ｋｇ／ｍ2より大きい遮音システム。
【請求項２】
前記遮断層の表面重量が０．４ｋｇ／ｍ2より大きい請求項１に記載の遮音システム。
【請求項３】
前記遮断層が実質的に不透過性である請求項１に記載の遮音システム。
【請求項４】
前記システムの曲げ剛性が０．１８Ｎ／ｍｍ〜４５Ｎ／ｍｍの間である請求項１に記載の遮音システム。
【請求項５】
前記第一及び前記第二の各吸収層の厚さが０ｍｍ〜１００ｍｍの間である請求項４に記載の遮音システム。
【請求項６】
前記第一及び第二の各吸収層の厚さが０ｍｍ〜５０ｍｍの間である請求項５に記載の遮音システム。
【請求項７】
前記第一及び前記第二の吸収層の少なくとも一方が、前記遮断層への振動を減衰させて前記遮断層の振動を低下させる請求項１に記載の遮音システム。
【請求項８】
前記第一及び前記第二の吸収層の少なくとも一方がフォームで構成される請求項７に記載の遮音システム。
【請求項９】
前記フォームが粘弾性フォームで構成される請求項８に記載の遮音システム。
【請求項１０】
前記フォームが７．０ｅ＋５Ｐａより小さいヤング率を有する請求項９に記載の遮音システム。
【請求項１１】
前記第一の吸収層が粘弾性フォームで構成される請求項１に記載の遮音システム。
【請求項１２】
前記第一の吸収層が基材に対向するように配置されている請求項１１に記載の遮音システム。
【請求項１３】
前記第二の吸収層がショディで構成される請求項１２に記載の遮音システム。
【請求項１４】
振動減衰層；
前記振動減衰層に隣接する音響遮断層；及び
前記音響遮断層に隣接する音響吸収層：
を含んでなる振動減衰システム。
【請求項１５】
前記振動減衰層が前記遮断層への振動を減衰させて前記遮断層の振動を低下させる請求項１４に記載の振動減衰システム。
【請求項１６】
前記振動減衰層が更に音響を吸収する請求項１５に記載の振動減衰システム。
【請求項１７】
前記遮断層の表面重量が０．１ｋｇ／ｍ2より大きい請求項１５に記載の振動減衰システム。
【請求項１８】
前記遮断層の表面重量が０．４ｋｇ／ｍ2より大きい請求項１７に記載の振動減衰システム。
【請求項１９】
前記遮断層が実質的に不透過性である請求項１７に記載の振動減衰システム。
【請求項２０】
前記システムの曲げ剛性が０．１８Ｎ／ｍｍ〜４５Ｎ／ｍｍの間である請求項１７に記載の振動減衰システム。
【請求項２１】
前記振動減衰層及び前記音響吸収層のそれぞれの厚さが０ｍｍ〜１００ｍｍの間である請求項２０に記載の振動減衰システム。
【請求項２２】
前記振動減衰層及び前記音響吸収層のそれぞれの厚さが０ｍｍ〜５０ｍｍの間である請求項２１に記載の振動減衰システム。
【請求項２３】
前記減衰層がフォームで構成される請求項１５に記載の振動減衰システム。
【請求項２４】
前記フォームが粘弾性フォームで構成される請求項２３に記載の振動減衰システム。
【請求項２５】
前記フォームが７．０ｅ＋５Ｐａより小さいヤング率を有する請求項２３に記載の振動減衰システム。
【請求項２６】
前記減衰層が基材に対向するように配置されている請求項２３に記載の振動減衰システム。
【請求項２７】
前記音響吸収層がショディで構成される請求項２６に記載の振動減衰システム。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
車両フレームであって、
剛性を有し且つ少なくとも１つの車輪に連結されるように構成された第１のフレーム部分と、
剛性を有し且つライダーの座席を支持するように構成された第２のフレーム部分と、を有し、前記第２のフレーム部分は、前記第１のフレーム部分と協働して組立フレームを構成する剛性的な関係をなして、前記第１のフレーム部分と分離可能に結合可能であり、前記組立フレームの剛性は、独立した前記第１のフレーム部分の剛性及び前記第２のフレーム部分の剛性よりも著しく大きく、
前記組立フレームは、前記第２のフレーム部分が前記第１のフレーム部分によって支持されるように構成され、
前記組立フレームの第１のフレーム部分及び第２のフレーム部分は協働して、車両を推進させる推進装置の推進エネルギーを供給するための電気エネルギー源を収容するように寸法決めされた内部キャビティを形成し且つ実質的に包囲し、複数の支持支柱を有する支柱骨組構造体を含み、前記複数の支持支柱の各々は、第１端部と第２端部とを有し、前記第１端部及び前記第２端部の各々は、前記複数の支持支柱の別の１つの少なくとも一方の端部に取付けられ、前記支柱骨組構造体は、ライダーを前記車輪で支持する主部分を構成し、
前記複数の支持支柱は、前記キャビティの両側の横方向側部を構成し且つそこに配置される第１の横方向支柱グループ及び第２の横方向支柱グループを有する、車両フレーム。
【請求項２】
前記第１の横方向支柱グループ及び第２の横方向支柱グループの各々は、上側支柱及び下側支柱を有し、前記上側支柱及び前記下側支柱は、その一方が他方の上に配置され、前記第１の横方向側部及び前記第２の横方向側部に沿ってほぼ長手方向に延びる、請求項１に記載の車両フレーム。
【請求項３】
前記組立フレームは、前記第１の車輪及びそれから長手方向反対側に配置された第２の車輪の上に支持されるように且つ前記上側支柱が圧縮状態にあるように構成され、
前記第２のフレーム部分は、前記内部キャビティの上に且つそれを横切って延び、前記第２のフレーム部分の剛性を実質的に増大させるための長手方向部分と構造的に結合される、請求項２に記載の車両フレーム。
【請求項４】
前記上側支柱は、前記内部キャビティの上側半部に沿って配置され、前記下側支柱は、前記内部キャビティの下側半部に沿って配置され、
前記第１及び第２の横方向支柱グループは、実質的に横方向に延びる他の支持支柱によって互いに連結され、前記他の支持支柱は、前記内側キャビティの少なくとも１つの長手方向側部を構成してそこに配置される、請求項２に記載の車両フレーム。
【請求項５】
前記第１のフレーム部分は、前記支柱骨組構造体のいくつかの支持支柱を含み、前記第２のフレーム部分は、前記支柱骨組構造体の他の支持支柱を有し、前記組立フレームにおいて、前記第１のフレーム部分の支持支柱の少なくともいくつかの端部は、前記第２のフレーム部分の支持支柱の少なくともいくつかの端部に結合される、請求項１に記載の車両フレーム。
【請求項６】
前記組立フレームは、複数の構造スキン部材を有し、前記構造スキン部材は、前記組立フレームの捩れ剛性を著しく増大させるために且つ前記複数の支柱間に構成される開口の少なくとも一部分を閉鎖するために、異なる複数の支持支柱と構造的に結合される、請求項１に記載の車両フレーム。
【請求項７】
前記第１のフレーム部分及び前記第２のフレーム部分は、前記内部キャビティ内のバッテリーへのアクセスを許すために、前記第２のフレーム部分が前記第１のフレーム部分から分離可能に前記組立フレーム内で結合されている、請求項１に記載の車両フレーム。
【請求項８】
前記第１のフレーム部分は、アルミニウム又はその合金で作られた前記支柱骨組構造体を有し、前記支持支柱は、前記第１の端部及び前記第２の端部のところで互いに溶接され、
前記第２のフレーム部分は、複合ファイバー補強材料で作られたスキン部材を有する、請求項１に記載の車両フレーム。
【請求項９】
前記組立フレームにおいて、前記第１のフレーム部分は、上側フレーム部分である前記第２のフレーム部分の下に配置された下側フレーム部分であり、
前記第１の車輪は、車両の後輪であり、
前記第２のフレーム部分及びその上のライダーを車両の前輪及び後輪で支持するために、前記第１のフレーム部分は、車両の前輪に連結されるように構成される、請求項１に記載の車両フレーム。
【請求項１０】
前記下側フレーム部分は、ヘッドチューブを有し、このヘッドチューブは、車両の操舵可能な車輪である車輪の１つと一緒に取付けられたステアリングチューブを回転可能に受入れるように構成される、請求項９に記載された車両フレーム。
【請求項１１】
前記第１のフレーム部分は、前記前輪及び前記後輪のそれぞれから取付けられるように構成された前側連結部分及び後側連結部分を有し、
前記組立フレームの第２のフレーム部分は、前記前側連結部分と前記後側連結部分との間で測定される前記第１のフレーム部分の捩り剛性を、約１．２乃至１０倍増大させる、請求項９に記載の車両フレーム。
【請求項１２】
請求項１１に記載の車両フレームと、
前記第２のフレーム部分に支持されるように取付けられた座席と、を有し、
前記車輪は、前記組立フレームを支持するように、前記連結部分によって前記組立フレームに結合され、
前記エネルギー源は、前記内部キャビティに収容され、
更に、車両を推進させるために、前記エネルギー源に連結され且つそれによって動力が供給されると共に、少なくとも１つの車輪に連結された電気モータを有する車両。
【請求項１３】
前記車輪は３つ以下である、請求項１２に記載の車両。
【請求項１４】
前記組立フレームの第１のフレーム部分及び第２のフレーム部分は協働して、前記内部キャビティの少なくとも上側、底側、前側及び横側を実質的に包囲する、請求項１に記載の車両フレーム。
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
特にタイヤ用のゴムトレッドであって、横面（１３、１４、１５、１６）と、前記トレッドを備えたタイヤの走行中、表面に沿って道路と接触するようになっている接触面（２）とを有するレリーフ状の複数の要素を備えており、地面との接触面（２）の接触表面の限界が少なくとも１つの隆起部（２３、２４、２５、２６）を形成しており、
向き合っている横面（１３、１５）、（１４、１６）により構成される溝および／または切込みの形態の複数の切開（３、４）を備えており、
各トレッドパターン要素（１）が（「基部混合物」と称せられる）少なくとも１つの第１ゴム混合物で形成されているタイヤ用のゴムトレッドにおいて、
このトレッドの厚さを含む平面における断面で見て、少なくとも１つの切開を構成する少なくとも１つの面が、少なくとも一部、「覆い混合物」と称される第２ゴム混合物で覆われており、この部分は、新しいとき、少なくとも面の高さＨの３０％に等しい高さＨｒにわたって延びている覆い混合物よりなり、少なくとも１つの基部混合物は、新しいとき、或いは遅くとも、多くとも高さＨｒの１０％に等しい摩耗後に接触面に開放し、覆い混合物はブチルゴムを含有しており、この覆い混合物は不飽和Ｃ12-Ｃ22の脂肪酸エステルの種類の可塑化剤を含有していることを特徴とするタイヤ用のゴムトレッド。
【請求項２】
エステルの量は５ｐｈｒと８０ｐｈｒとの間、好ましくは１０ｐｈｒと５０ｐｈｒとの間であることを特徴とする請求項１に記載のトレッド。
【請求項３】
脂肪酸エステルはグリセロールトリオレートであることを特徴とする請求項１または２に記載のトレッド。
【請求項４】
グリセロールトリオレートの量は１５ｐｈｒと３０ｐｈｒとの間であることを特徴とする請求項３に記載のトレッド。
【請求項５】
覆い混合物は１５ｐｈｒより多い、好ましくは３０ｐｈｒ（エラストマーの１００部あたりの重量部）より多いブチルゴムを含有していることを特徴とする請求項１ないし４のうちのいずれか１項に記載のトレッド。
【請求項６】
覆い混合物は５０ないし１００ｐｈｒのブチルゴムを含有していることを特徴とする請求項５に記載のトレッド。
【請求項７】
基部混合物はブチルゴムを含有していないことを特徴とする請求項１ないし６のうちのいずれか１項に記載のトレッド。
【請求項８】
タイヤの製造または再踏面付けのための請求項１ないし７のうちのいずれか１項に記載のトレッドの使用。
【請求項９】
請求項１ないし８のうちのいずれか１項に記載のトレッドを備えているタイヤ。
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
ウチワサボテン類、その植物の部分および／またはそれからの抽出物または生成物を含むことを特徴とする、抑うつ症状、うつ病あるいは抗うつ剤の影響を受けうるその他の情緒障害、およびこれらの病気の前段階の治療剤。
【請求項２】
上記抗うつ剤の影響を受けうるその他の情緒障害が、不安症、パニック障害、双極性うつ病、心身症および月経前症候群から選ばれる障害である請求項１に記載の治療剤。
【請求項３】
上記病気の前段階が、みじめ感、倦怠感、憂うつ感、無気力、情緒不安定、落胆感および幸福感の制約から選ばれる前段階である請求項１に記載の治療剤。
【請求項４】
上記植物の部分が花および／または新芽若葉である請求項１乃至３のうちのいずれかの項に記載の治療剤。
【請求項５】
上記ウチワサボテン類がオオガタホウケン種に属する請求項１乃至４のうちのいずれかの項に記載の治療剤。
【請求項６】
ウチワサボテン類またはその植物の部分からの抽出物を含む請求項１乃至５のうちのいずれかの項に記載の治療剤。
【請求項７】
添加物として一種またはそれ以上の選択的セロトニンおよびノルアドレナリン再吸収阻害剤を含むことを特徴とする請求項１乃至６のうちのいずれかの項に記載の治療剤。
【請求項８】
上記選択的セロトニンおよびノルアドレナリン再吸収阻害剤がベンラファキシンである請求項７に記載の治療剤。
【請求項９】
ウチワサボテン類、その植物の部分および／またはそれからの抽出物または生成物を含むことを特徴とする、抑うつ症状、うつ病あるいは抗うつ剤の影響を受けうるその他の情緒障害、およびこれらの病気の前段階の治療支援用食品。
【請求項１０】
ウチワサボテン類、その植物の部分および／またはそれからの抽出物または生成物と、経口投与剤として適当な補薬とからなる薬理学的生成物。
【請求項１１】
添加物として一種またはそれ以上の選択的セロトニンおよびノルアドレナリン再吸収阻害剤を含むことを特徴とする請求項１０に記載の薬理学的生成物。
【請求項１２】
上記選択的セロトニンおよびノルアドレナリン再吸収阻害剤がベンラファキシンである請求項１１に記載の薬理学的生成物。
【手続補正２】
【補正対象書類名】明細書
【補正対象項目名】発明の名称
【補正方法】変更
【補正の内容】
【発明の名称】ウチワサボテン植物の部分および／またはそれからの抽出物を含むうつ病治療剤
【手続補正書】
【提出日】平成19年10月11日(2007.10.11)
【手続補正１】
【補正対象書類名】明細書
【補正対象項目名】００１７
【補正方法】変更
【補正の内容】
【００１７】
雄ラットを使用する。原則４処置群を形成する：
１)自発運動活性に対するＡＭＰＡ受容体アンタゴニストの効果を試験するために、ＡＭＰＡ受容体アンタゴニスト、続いて溶媒２および溶媒３。
２)自発運動活性に対する組み合わせパートナーの効果を試験するために、溶媒１、組み合わせパートナーおよび溶媒３。
３)続いて自発運動亢進活性の誘発を試験するために、溶媒１、溶媒２、続いてアンフェタミン。
４)ＡＭＰＡ受容体アンタゴニスト、続いて溶媒２およびアンフェタミン。
５)溶媒１、続いて組み合わせパートナーおよびアンフェタミン。
６)“本発明の組み合わせ”(各活性成分は閾値に近い投与量)、続いて溶媒３。
７)“本発明の組み合わせ”(各活性成分は閾値に近い投与量)、続いてアンフェタミン。
８)溶媒１−溶媒２−溶媒３。